【事件の表示】
　平成　３年特許願第２２０４０３号「選曲装置」拒絶査定に対する審判事件［平成　５年　３月１２日出願公開、特開平　５−　６２４３５］について、次のとおり審決する。
【結　論】
　本件審判の請求は、成り立たない。
【理　由】
１．手続きの経緯・本願発明の要旨
　本願は、平成３年８月３０日の出願であって、その請求項１に係る発明（以下、本願発明という。）は、平成９年１０月２０日付け及び平成１０年２月６日付けの手続補正書により補正された明細書及び図面の記載からみて、その特許請求の範囲の請求項１に記載された次のとおりのものとである。
　
「　択一的に再生される多数の音楽情報に対応する複数の曲名情報が格納されたメモリ部と、
　上記複数の曲名情報を一括表示する表示部と、
　上記曲名情報の属性を直接指定する属性指定専用操作部と、
　上記属性指定専用操作部にて直接指定された属性に対応する上記曲名情報を上記メモリ部から読み出して上記表示部に所定の昇降順で表示する表示制御手段と、
　上記表示部に所定の昇降順で表示された複数の曲名情報から所望の曲名情報を検索するための見出指定手段と、
　上記見出指定手段における指定に対応する曲名情報を上記表示部に表示し、所望の曲名を選択する選択手段と、
　上記選択手段にて選択された所望の曲名に対応する選曲データを送信する選曲データ送信手段とを備えてなる選曲装置。」
　
２．引用例の記載
　これに対して、当審の拒絶の理由に引用した特開昭６１−７７１８４号公報（以下、「引用例１」という。）、特開平３−１２０６８６号公報（以下、「引用例２」という。）には、下記の事項が記載されている。
　引用例１に記載された発明（以下、「引用例１の発明」という。）
「この発明は例えばＣＤ（光学式コンパクトディスク）用に好適するマルチディスク自動再生装置に係り、特にその再生データ検索部の改良に関する。」（１頁左下欄１８行ないし右下欄１行）
「これはアナログ式ディスクプレイヤの場合にも実用化されているところのいわゆるジュークボックスやカラオケ装置に相当するものであって、所望の再生データを検索してオートチャンジャーにかけてやれば実現可能である。」（１頁右下欄１６行ないし２頁左上欄１行）
「再生データ検索を可及的に簡便になし得るように改良した極めて良好なるマルチディスク自動再生装置を提供することを目的としている。」（２頁右上欄７行ないし１０行）
「第１図において１００は例えばＣＤ用に供されるディスクオートチェンジャーおよびプレイヤ部であって、多数のディスク１０１を収納したトレイ機構部１０２とディスクサーチ再生機構部１０３からなる。この場合、ディスクサーチ再生機構部１０３はディスクサーチ１０４、ディスク移送機構部１０５およびディスク再生機構部１０６を有してなり、これらの各部が後述するコントロール回路１０７によって制御されることにより、所望のディスク１０１が自動的にサーチされて所望の曲目を再生し、再生部１０８に再生信号を与えることが可能となるようになされている。
　上記コントロール回路１０７は例えばマイクロプロセッサＣＰＵおよびインターフェイス回路等を有してなり、後述する選曲部１０９および予約部１１０の操作に応じた各種のコントロール信号を上記ディスクサーチ再生機構部１０３および再生部１０８に与えると共に、表示出力制御回路１１２を介して特には選曲操作に必要な情報を例えば陰極線管ＣＲＴ等の画像表示器１１３に表示するための表示信号を与えることが可能となるようになされている。」（２頁左下欄７行ないし右下欄９行）
「 上記ＲＡＭ１１５に格納されている選曲操作に必要な情報の内容について述べると、概してそれは上記トレイ機構部１０２に収納された多数のディスク１０１中に収録されている全曲目情報についてこの実施例では曲別、歌手別、ジャンル別毎にリスト化してそれらの各曲の存在するディスクＮＯ、曲ＮＯを対称させた検索用データおよび希望曲の予約方法のデータ等がファイルデータとして格納されているものである。」（２頁右下欄１５行ないし３頁左上欄３行）
「先ず選曲部１０９には画像表示器１１３に表示すべき曲目情報の編集（リスト化）形態を選択するための曲別キー Ｋ１，歌手別キーＫ２，およびジャンル別キーＫ３が設けられると共に、表示されるページ選択するためのページ送りキーＫ４ページ戻しキーＫ５が設けられ、さらに表示されるカーソルを上下左右に移動するためのカーソル移動キーＫ６，Ｋ７，Ｋ８，Ｋ９ならびに上記カーソルの移動位置を確認（その位置のものを選曲するとういう意味）するための確認キーＫ１０が 設けられている。」（３頁左上欄１６行ないし右上欄７行）
「第３図においてパワーオンにより選曲動作がスタートされると、ステップＳ１にて選曲方法として曲別キーＫ１，歌手別キーＫ２，ジャンル別キーＫ３のいずれかが操作されたかを判断する。先ず、曲別キーＫ１の操作であつた場合にはステップＳ２を介してステップＳ３に進み、ＲＡＭ１１５から曲別のファイルデータを読み込んで、それをステップＳ４にて画像表示器１１３により例えばあいうえお順で表示可能な１ページ分だけ表示する。第４図はこのステップＳ４における表示パターンの一例を示している。次に、ステップＳ５に進んで、そのページ中に希望曲があったか否かの判断がなされる。このステップＳ５における判断は希望曲の頭部分にカーソルを合わせてから確認キーＫ１０を操作したか否かでなされ、ＮＯならばステップＳ６に進んでページ送りキーＫ４またはページ戻しキーＫ５の操作の有無が判断される。このステップＳ６における判断がＮＯならばステップＳ１に戻り、ＹＥＳならばステップＳ７を介してステップＳ８に進んでＲＡＭ１１５より対応ページの曲データを読み込んでからステップＳ４に戻る。また、上記ステップＳ６における判断がＹＥＳならばステップＳ９を介してステップＳ１０に進んでＲＡＭ１１５から予約方法のデータを読み込んで、それをステップＳ１１にて画像表示器１１３により表示する。」（３頁左下欄２行ないし右下欄８行）
「サーチ動作および再生動作とは、所望再生曲をサーチし且つ再生するためのコントロール信号をディスクオートチェンジャおよびプレイヤ部に与えることにより、前述した如く所望再生曲の収録されているディスク１０１を自動的にプレイヤにローディングし且つ該当曲を自動的にサーチして再生し、その再生信号を再生部１０８に供給することを意味している。」（４頁左上欄１４行ないし右上欄１行）
「 次に、上記ステップＳ１にて歌手別キーＫ２またはジャンル別キーＫ３が操作された場合についてであるが、これらの場合にも上述曲別キーＫ１の操作時と略同様なステップＳ１７〜Ｓ２７またはＳ２９〜Ｓ３８の経路を通して上述したステップＳ９〜Ｓ１６に進むことにより、歌手別またはジャンル別に所望再生曲を選曲し、且つそれを予約して自動的にサーチ動作および再生動作にすすませることができる。」（４頁右上欄２行ないし１０行）
「前述した選曲部１０９および予約部１１０の各キーＫ１〜Ｋ２７を選択的に操作することにより、マイクロコンピュータおよびインターフェイス回路等を有してなるコントロール１０７を介してディスク再生機構部１０６および再生部１０８を所定の状態にコントロールすると共に、前述した表示部１１３により必要な表示をなすものである。」（４頁左下欄２０行ないし右下欄７行）
　
　引用例２に記載された発明（以下、「引用例２の発明」という。）
「希望曲の検索がいつでも容易且つ迅速に行なえ、カラオケソフトの追加や変更にも速やかに対応し得る業務用カラオケ設備の選曲装置を提供することを目的とする。」（２頁右上欄１５行ないし１９行）
「使用者がディスプレイの表示に従って曲名別や歌手名別等の選曲モードを指定すると共に、希望曲の選曲データとして曲名等の最初の一字以上を入力すれば、その選曲モードと選曲データとに基いてメモリーから候補曲を選曲し、ディスプレイに候補曲のデータを表示するものである。
　又、ディスプレイに表示された候補曲の一つを指定して希望曲であることを確認すれば、そのコード番号がカラオケ装置本体に出力されて希望曲が自動的に演奏されるものである。」（２頁右下欄５行ないし１４行）
「入力する選曲データとしては、曲名別、デュエット曲、軍歌モードなら曲名の最初の１文字以上、歌手名別モードなら歌手名の最初の１文字以上、唄い出し別モードなら歌詞の最初の１文字以上とする。」（３頁左下欄８行ないし１２行）
「その詳細なデータに基いて希望曲の確認をすると、カラオケ設備に希望曲のコード番号２９が出力されて演奏が行なわれる。」（４頁左上欄１２行ないし１５行）
　
３．対比・判断
　本願発明と引用例１の発明を対比する。
　
(1)引用例１の「ＲＡＭ１１５」は、多数のディスクに収録されている全曲目情報が格納されているから本願発明における「メモリ部」に相当する。
(2)引用例１の「画像表示部１１３」は、複数の情報を一括に表示するから本願発明における「表示部」に相当する。
(3)引用例１の「曲別キーＫ１」、「歌手別キーＫ２」は、属性を直接指定するから本願発明の「属性指定専用操作部」に相当する。
(4)引用例１の「コントロール回路１０７」、「表示出力制御回路１１２」は、画像表示部に曲名、歌手名を昇降順（あいうえお順）に表示するから本願発明の「表示制御手段」に相当する。
(5)引用例１の「カーソル移動キーＫ６、Ｋ７、Ｋ８、Ｋ９」、「確認キーＫ１０」は、曲を選択するから「選択手段」相当する。
(6)「選曲部１０９および予約部１１０の各キーＫ１−Ｋ２７を選択的に操作することにより、・・・コントロール１０７を介してディスク再生機構部１０６及び再生部１０８を所定の状態にコントロールする」（引用例１の４頁左下欄２０行ないし同頁右下欄５行）の記載から、「コントロール回路」は「ディスク再生機構部１０６及び再生部１０８」にデータを送信していることは明らかであるから、引用例１の「コントロール回路１０７」は、本願発明の「選曲データ送信手段」に相当する。
(7)引用例１の「マルチディスク自動再生装置」は、選曲をしているから「選曲装置」である。
　よって、本願発明と引用例１の発明とは、
「　択一的に再生される多数の音楽情報に対応する複数の曲名情報が格納されたメモリ部と、
　上記複数の曲名情報を一括表示する表示部と、
　上記曲名情報の属性を直接指定する属性指定専用操作部と、
　上記属性指定専用操作部にて直接指定された属性に対応する上記曲名情報を上記メモリ部から読み出して上記表示部に所定の昇降順で表示する表示制御手段と、
　所望の曲名を選択する選択手段と、
　上記選択手段にて選択された所望の曲名に対応する選曲データを送信する選曲データ送信手段とを備えてなる選曲装置。」で一致し、以下の点で相違する。
　
　相違点１
　上記「選曲装置」が、本願発明においては「所望の曲名情報を検索するための見出指定手段」を備えているのに対して、引用例１の発明においては備えていない点
　
  相違点２
　所望の曲名を選択する際に、本願発明においては「見出指定手段における指定に対応する曲名情報を上記表示部に表示し」選択するのに対し、引用例１の発明においては、昇降順で表示し選択する点
　
　上記相違点１、２について検討する。
　
　引用例２には、曲名別や歌手名別等の選曲モードを指定すると共に、希望曲の選曲データとして最初の一字を入力し、候補曲のデータを表示し、表示された候補曲の一つを指定して希望曲であることを確認すれば、そのコード番号がカラオケ装置本体に出力されて希望曲が自動的に演奏される選曲装置が記載されている（引用例２の２頁右下欄５行ないし１４行）。すなわち、引用例２の発明は、選曲データとして最初の一字を入力しているので、見出指定手段を備えており、また最初の一字を入力し、候補曲のデータを表示し、表示された候補曲の一つを指定しているので、見出指定手段における指定に対応する曲名情報を上記表示部に表示し選択しているといえる。
　引用例２の発明は、選曲装置であるので、引用例１の発明に引用例２に記載された見出指定手段を適用することに困難性はなく、引用例１の発明に引用例２に記載された見出指定手段を適用して、表示部に所定の昇降順で表示された複数の曲名情報から所望の曲名情報を検索するための見出指定手段を設け、見出指定手段における指定に対応する曲名情報を上記表示部に表示し、所望の曲名を選択するようにすることは、当業者が容易になし得ることである。
　
４．むすび
　したがって、本願発明は、上記引用例１、２に記載された発明に基いて当業者が容易に発明をすることができたものであるから、特許法第２９条第２項の規定により特許を受けることができない。
　よって、結論のとおり審決する。